(57)【要約】【課題】電柱と家屋・ビル等との間で引張力が生じた際の不都合を緩和することができる引き込み電線用緩衝装置を提供すること。【解決手段】引き込み電線用緩衝装置１は、碍子の穴部に係合する第１接続部２と、地面に固定されている建造物側又は電柱側に係合する第２接続部４と、第１接続部２と第２接続部４をつなぐ中間部３と、を有し、第１接続部２、第２接続部４及び中間部３は１つの針金を曲げ加工して形成されており、第１接続部２と第２接続部４とが離間する方向に外力が加わった際に、第１接続部２、第２接続部４及び中間部３のいずれかが伸びることによって外力の緩衝を行う。【選択図】図２
2018023237.tif 000002
【特許請求の範囲】
【請求項１】
碍子の穴部に係合する第１接続部と、
地面に固定されている建造物側又は電柱側に係合する第２接続部と、
前記第１接続部と前記第２接続部をつなぐ中間部と、を有し、
前記第１接続部、前記第２接続部及び前記中間部は１つの針金を曲げ加工して形成されており、
前記第１接続部と前記第２接続部とが離間する方向に外力が加わった際に、前記第１接続部、前記第２接続部及び前記中間部のいずれかが伸びることによって外力の緩衝を行う
引き込み電線用緩衝装置。
【請求項２】
前記第２接続部は、１回転以上の螺旋構造を有し、
前記第１接続部と前記第２接続部とが離間する方向に外力が加わった際に、前記第２接続部の当該螺旋構造が伸びることによって外力の緩衝を行う
請求項１に記載の引き込み電線用緩衝装置。
【請求項３】
前記第２接続部の螺旋構造は２回転以下である
請求項２に記載の引き込み電線用緩衝装置。
【請求項４】
前記第１接続部は、
前記中間部から続く第１直線部と、
前記第２接続部側の方向まで曲がり、碍子の穴部と接触する部分である第１曲り部と、
前記第１直線部と前記中間部の間の部分で係合する係合部と、を有する
請求項１〜３いずれか１項に記載の引き込み電線用緩衝装置。
【請求項５】
前記第１接続部は、
前記第１曲り部の前記第１直線部とは反対側に位置する第２直線部と、
前記第２直線部と前記係合部との間に位置し、第１直線部側に曲がる第２曲り部と、を有する
請求項１〜４いずれか１項に記載の引き込み電線用緩衝装置。
【請求項６】
前記第１曲り部の半径は、第２曲り部の半径の３倍以上である
請求項５に記載の引き込み電線用緩衝装置。
【発明の詳細な説明】
【技術分野】
【０００１】
本発明は、電線から各家屋・ビル等に引き込む引き込み電線用の緩衝装置に関する。
【背景技術】
【０００２】
特許文献１には、一定長の棒状体から成る緩衝金具の略中央部分を折曲又は湾曲させて縮めた伸長可能な形状部とした技術が開示されている。
【先行技術文献】
【特許文献】
【０００３】
【特許文献１】特開平１１−１６４４６０号公報
【発明の概要】
【発明が解決しようとする課題】
【０００４】
地震その他の原因によって、電柱及び各家屋・ビル等が揺れることによって、電線が引っ張られるという事態が生じうる。
それに伴う各種不都合を解消することができる装置が求められていた。
【０００５】
本発明は、電柱と家屋・ビル等との間で引張力が生じた際の不都合を緩和することができる引き込み電線用緩衝装置を提供することである。
【課題を解決するための手段】
【０００６】
本発明の引き込み電線用緩衝装置は、碍子の穴部に係合する第１接続部と、地面に固定されている建造物側又は電柱側に係合する第２接続部と、前記第１接続部と第２接続部をつなぐ中間部と、を有し、前記第１接続部、前記第２接続部及び前記中間部は１つの針金を曲げ加工して形成されており、前記第１接続部と前記第２接続部とが離間する方向に外力が加わった際に、前記第１接続部、前記第２接続部及び前記中間部のいずれかが伸びることによって外力の緩衝を行う。
【０００７】
好適には、前記第２接続部は、１回転以上の螺旋構造を有し、前記第１接続部と前記第２接続部とが離間する方向に外力が加わった際に、前記第２接続部の当該螺旋構造が伸びることによって外力の緩衝を行う。
【０００８】
好適には、前記第２接続部の螺旋構造は２回転以下である。
【０００９】
好適には、前記第１接続部は、前記中間部から続く第１直線部と、前記第２接続部側の方向まで曲がり、碍子の穴部と接触する部分である第１曲り部と、前記第１直線部と前記中間部の間の部分で係合する係合部と、を有する。
【００１０】
好適には、前記第１接続部は、前記第１曲り部の前記第１直線部とは反対側に位置する第２直線部と、前記第２直線部と前記係合部との間に位置し、第１直線部側に曲がる第２曲り部と、を有する。
【００１１】
好適には、前記第１曲り部の半径は、第２曲り部の半径の３倍以上である。
【発明の効果】
【００１２】
本発明における引き込み電線用緩衝装置によって電柱と家屋・ビル等との間で引張力が生じた際の不都合を緩和することが可能となった。
【図面の簡単な説明】
【００１３】
【図１】本発明の第１の実施形態に係る引き込み電線用緩衝装置の使用状況の説明図である。
【図２】引き込み電線用緩衝装置１の説明図である。
【図３】第２の実施形態の説明図である。
【図４】第３の実施形態の説明図である。
【図５】第４の実施形態の説明図である。
【図６】第５の実施形態の説明図である。
【発明を実施するための形態】
【００１４】
＜第１の実施形態＞
【００１５】
図１は、本発明の第１の実施形態に係る引き込み電線用緩衝装置の使用状況の説明図である。
【００１６】
以下、第１の実施形態について説明する。
図１のように、電信柱１０２から、家屋・ビル等２０１に電力を供給するために電線１０１が電信柱１０２から家屋・ビル等２０１に架橋される。
その為に、電信柱１０２には電信柱取付具１０３が設けられる。
同様に、家屋・ビル等２０１（＝建造物）には、家屋側取付具２０３が設けられる。
そして、電信柱１０２側から順に、引き込み電線用緩衝装置１、電信柱側碍子１０４、碍子間電線１０１ａ、家屋側碍子１０５、家屋側取付金具１０６、家屋側取付具２０３が取り付けられる。
そして、電線１０１は、家屋・ビル等２０１に設けられた取り入れ口２０２から、家屋・ビル等の内部に引き入れられ、各種の利用がされる。具体的な一例としては、ブレーカ、配電盤、電力メータ等を介して、各部屋・各器具などに配電される。
【００１７】
このように配線されるため、電信柱１０２及び家屋・ビル等２０１のいずれか一方だけでも振動をした場合には、碍子間電線１０１ａに強い張力が発生する可能性がある。もちろん、両方が振動した場合はより強い張力が発生しうる。
さらに、電信柱１０２及び家屋・ビル等２０１のいずれも振動しない場合であっても、風、障害物等によって、碍子間電線１０１ａがどちらかの方向に強く引っ張られる可能性もある。この場合も、碍子間電線１０１ａに強い張力が発生する可能性がある。
その場合に、碍子間電線１０１ａが切れてしまうと再度の電線工事が必要となるため、可能な限り避けるべき事態である。
また、家屋側取付金具１０６が棄損してしまうと、それは、家屋・ビル等２０１の所有者の所有物であるため、これを補修・賠償の問題が発生する可能性もある。
さらに、補修する場合には、家屋・ビル等２０１に立ち入らなければならず、手間と時間がかかるおそれがあった。
また、たとえ電信柱１０２側で補修をすることができたにしても、できるだけ短時間・簡単な工事で済ますことが必要である。さらに、そのための交換部品もできるだけ安価である必要があった。
そこで、本実施形態では、以上の問題点を解決すべく、例えば、図２で詳説する引き込み電線用緩衝装置１を提供する。
【００１８】
図２は、引き込み電線用緩衝装置１の説明図である。
図２（ａ）は平面図であり、図２（ｂ）は正面図であり、図２（ｃ）は右側面図である。
【００１９】
図２のように、引き込み電線用緩衝装置１は、第１接続部２、中間部３、第２接続部４を有している。
引き込み電線用緩衝装置１の大きな特徴の１つは、第１接続部２、中間部３、第２接続部４が、この順で連続（一体構成となっている）していることであり、さらには、第１接続部２、中間部３、第２接続部４が一本のワイヤ（金属棒）から構成されていることである。つまり、第１接続部２、中間部３、第２接続部４の断面形状がほぼ同一であるということである。本実施形態では、断面形状は円である。
換言すると、第１接続部２、中間部３、第２接続部４のみから構成されており、それ以外の部品（部材）を必要としない構成である。
これによって、材料費を抑えることができ、さらに、組み立てなどが不要なため製造費を抑えることができる。
つまり、引き込み電線用緩衝装置１は、比較的製造の容易な、プレス及び曲げ加工だけで形成できるということである。
さらに、１つの部品からなるということは、信頼性が向上するということでもある。
加えて、構造が簡単ということは、引き込み電線用緩衝装置１を取付・交換等する作業を作業者が容易に行うことができるということでもある。
【００２０】
第１接続部２は、第１直線部２１、第１曲り部２３、第２直線部２２、係合部２５を有している。
また、第１直線部２１、第１曲り部２３、第２直線部２２、係合部２５が、この順で連続（一体構成となっている）している。断面の形状もほぼ同一である。
【００２１】
第１直線部２１は、中間部第１端部３ｂと接続されている。また、中間部３から同一の直線上に形成されている。
第１直線部２１は、真っすぐな円柱形状であり、中間部３の約７０％程度の長さを有している。
【００２２】
この第１直線部２１に続く、第１曲り部２３は、約１８０度方向を変えている。
具体的には、この第１曲り部２３は、第１直線部２１の約４０％の長さの半径で１８０度回転している。また、第１曲り部２３が回転していく方向は、螺旋形状の第２接続部４の中間部３から端部へ進むに従いその螺旋が進む方向とは逆側に形成されている。
【００２３】
この第１曲り部２３に連続する第２直線部２２は、第１直線部２１とほぼ同じ長さの直線形状である。
【００２４】
この第２直線部２２に連続して、係合部２５が形成されている。
係合部２５は、第２曲り部２５０と、第３直線部２５１、第４直線部２５２、第３曲り部２５３及び外れ止め部２５４を有している。
第２曲り部２５０と、第３直線部２５１、第４直線部２５２、第３曲り部２５３及び外れ止め部２５４は、この順に第２直線部２２から連続して形成されている。
【００２５】
第２曲り部２５０は、図２（ｂ）のように、第２直線部２２に対して、第３直線部２５１を約９０度折れ曲がらせる部分である。なお、図２（ｂ）では、第２直線部２２がわずかに、第３直線部２５１側に進むにしたがって、末広がりの形状であるため、９０度よりも多く屈曲させている。
【００２６】
第３直線部２５１は、図２（ｃ）のように、第１直線部２１、第１曲り部２３及び第２直線部２２を含む平面（以下、「第１平面」という。）から、第４直線部２５２、第３曲り部２５３及び外れ止め部２５４を離間させるための部分である。
第３直線部２５１は、図２（ｃ）から見て、第１平面に対して、約４５度程度の角度を有している。
【００２７】
第４直線部２５２は、第１平面と平行な位置関係である。また、図２（ｂ）から見て、中間部３と直角の位置関係を有している。
【００２８】
第３曲り部２５３は、１８０度、所定の半径で方向を変えている。
【００２９】
外れ止め部２５４は、第４直線部２５２側に、一度屈曲させた後、また反対側に屈曲させている。
この形状によって、第３曲り部２５３の内部に、収容された中間部３と第１直線部２１の中間部分が、再び外れることを防ぐことが可能である。
【００３０】
以上のような形状であるため、第１接続部２は、作業者が第１直線部２１と第２直線部２２を手の握力によって一度近付けて、外れ止め部２５４内部位置に、中間部３と第１直線部２１の中間部分を位置させて、元に戻すことによって、容易に、碍子が取れない状態にすることが可能である。
【００３１】
第１曲り部２３の半径は、第２曲り部２５０の半径の３倍以上であると好適である。
第１曲り部２３は、碍子に接触する部分であるため、緩やかな曲線となることが好適であるからである。
【００３２】
次に、第２接続部４について説明する。
第２接続部４は、中間部３の中間部第２端部３ａと連続している。
この中間部第２端部３ａと接続している、第１端部４ｂから、他方の端部である第２接続部第１端部４ａまで、螺旋構造を有している。
第１端部４ｂから、他方の端部である第２接続部第１端部４ａまでは、１周と１／４回転した形状である。
このような形状であることから、図１の電信柱取付具１０３のような部分に単に、掛け回すことによって、容易に電信柱取付具１０３に係合させることが可能となる。
なお、螺旋の旋回は、あまり多くても掛け回すことが困難になり不適切であることから、２周以下が好適である。
【００３３】
また、第２接続部４が螺旋構造を有していることから、第１接続部２と第２接続部４との間に張力が発生した際に、この螺旋構造部分（＝第２接続部４）が容易に伸びることになる。
つまり、この引き込み電線用緩衝装置１が代わりに変形することによって、他の部分に破損が生じないということが可能となる。
【００３４】
もちろん、第２接続部４は単に、伸びればその効果を発揮できるのであるから、螺旋構造である必要性は必ずしもない。
例えば、単に伸びることが容易になるようにその断面積を他の部分よりも小さくするということも可能である。つまり変形容易な形状、材質で作ればよい。
螺旋の伸びる方向も、例えば、中間部３の伸びる方向に伸びても良い。
伸びることを容易にする他の方法として、例えば、第１接続部２のみを焼き戻しなどの各種処理を行ってもよい。
以上の、変形などは、後述する第３の実施形態及び第４の実施形態でも同様に行うことが可能である。
【００３５】
また、以上のような形状を有していることから、作業者が容易に取り付けることが可能となる。さらに、単純な形状を有していることから、製造も容易かつ安価にすることができる。
【００３６】
＜第２の実施形態＞
図３は、第２の実施形態の説明図である。
【００３７】
図３のように、中間部３の中間部蛇腹形状３ｃによって引張力を緩和する構造としてもよい。
なお、第１の実施形態の様に、形状、材質、断面積、熱処理等によって、引張力を緩和することができるものであってもよい。
【００３８】
＜第３の実施形態＞
図４は、第３の実施形態の説明図である。
【００３９】
図４のように、第１接続部２によって、引張力を緩和する構造としてもよい。
なお、第１の実施形態の様に、形状、材質、断面積、熱処理等によって、引っ張り力を緩和することができるものであってもよい。
【００４０】
＜第４の実施形態＞
図５は、第４の実施形態の説明図である。
【００４１】
図５の様に、１つの電信柱１０２に複数の引き込み電線用緩衝装置１を取り付けてもよい。このようにすることによって、一か所の電信柱１０２での作業によって、複数の家屋・ビル等２０１に対する作業が可能となり効率性が向上する。
【００４２】
＜第５の実施形態＞
図６は、第５の実施形態の説明図である。
【００４３】
なお以上の実施形態では、電信柱１０２側に引き込み電線用緩衝装置１が取り付けられている例を説明した。
しかしながら、図６のように、電線用緩衝装置１が家・ビル等２０１側に取り付けられていてもよい。
この場合には、家・ビル等２０１に立ち入らなくてもよいという利点はなくなってしまうが、地震等で発生する張力を吸収するという点では、何ら効果を損なうものではないからである。
また、従来の装置であれば２つの部品から構成されていたのに対して、電線用緩衝装置１は１つの部品から構成されていることから、施工が容易になる、短時間の作業が可能となる、材料費を抑えることができる等の利点がある。
【００４４】
＜実施形態の構成及び効果＞
引き込み電線用緩衝装置１は、碍子の穴部に係合する第１接続部２と、地面に固定されている建造物側又は電柱側に係合する第２接続部４と、第１接続部２と第２接続部４をつなぐ中間部３と、を有し、第１接続部２、第２接続部４及び中間部３は１つの針金を曲げ加工して形成されており、第１接続部２と第２接続部４とが離間する方向に外力が加わった際に、第１接続部２、第２接続部４及び中間部３のいずれかが伸びることによって外力の緩衝を行う。
このような構成を有することから、電柱と家屋・ビル等との間で引張力が生じた際の不都合を緩和することができる引き込み電線用緩衝装置を提供することが可能となる。
【００４５】
第２接続部４は、１回転以上の螺旋構造を有し、第１接続部２と第２接続部４とが離間する方向に外力が加わった際に、第２接続部４の当該螺旋構造が伸びることによって外力の緩衝を行う。
このような構成を有することから、簡単な構造によって、外力を緩衝することが可能となる。
【００４６】
第２接続部４の螺旋構造は２回転以下である。
このような構成を有することから、作業者が引き込み電線用緩衝装置１をかけまわすという、比較的容易な作業によって、取り付けが可能となる。
【００４７】
第１接続部２は、中間部３から続く第１直線部２１と、第２接続部４側の方向まで曲がり、碍子の穴部と接触する部分である第１曲り部２３と、第１直線部２１と中間部３の間の部分で係合する係合部２５と、を有する。
このような構成を有することから、簡単な構造によって、外力を緩衝することが可能となる。
【００４８】
第１接続部２は、第１曲り部２３の第１直線部２１とは反対側に位置する第２直線部２２と、第２直線部２２と係合部２５との間に位置し、第１直線部２１側に曲がる第２曲り部２５０と、を有する。
このような構成を有することから、簡単な構造によって、外力を緩衝することが可能となる。
【００４９】
第１曲り部２３の半径は、第２曲り部２５０の半径の３倍以上である。
このような構成を有することから、第１曲り部２３によって碍子が破損することを緩和することができる。
【００５０】
本発明の、構造、材料、各部材の連結、科学物質、などは、本発明の要旨を変更しない範囲で、様々に変更可能である。
材質も、金属、プラスチック、ＦＲＰ、木材、コンクリート等を自由に選択することが可能である。
また、上記実施形態は、あくまでも、現在のところの最良の形態の１つにすぎない。
【００５１】
＜定義等＞
本発明における建造物の一例が建物又は電柱である。つまり、地面に直接固定されている建造物であればどのようなものであってもよい。
本発明の前記第１接続部と前記第２接続部とが離間する外力を緩衝する部分は、第２接続部が最適であるが例えば中間部、第１接続部であってもよい。
【符号の説明】
【００５２】
１        ：引き込み電線用緩衝装置
２        ：第１接続部
３        ：中間部
３ａ      ：中間部第２端部
３ｂ      ：中間部第１端部
３ｃ      ：中間部蛇腹形状
４        ：第２接続部
４ａ      ：第２接続部第１端部
４ｂ      ：第１端部
２１      ：第１直線部
２２      ：第２直線部
２３      ：第１曲り部
２５      ：係合部
１０１    ：電線
１０１ａ  ：碍子間電線
１０２    ：電信柱
１０３    ：電信柱取付具
１０４    ：電信柱側碍子
１０５    ：家屋側碍子
１０６    ：家屋側取付金具
２０１    ：家・ビル等
２０２    ：取り入れ口
２０３    ：家屋側取付具
２５０    ：第３曲り部
２５１    ：第３直線部
２５２    ：第４直線部
２５３    ：部
２５４    ：外れ止め部
【図１】
2018023237.tif 000003
【図２】
2018023237.tif 000004
【図３】
2018023237.tif 000005
【図４】
2018023237.tif 000006
【図５】
2018023237.tif 000007
【図６】
2018023237.tif 000008